(57)【要約】  本発明は、異種内容物の貯蔵容器に関し、一つの容器本体内側に異種の内容物がそれぞれ貯蔵された第１貯蔵容器及び第２貯蔵容器を収容し、昇降部材を上下にスライディング移動することによって、第１貯蔵容器及び第２貯蔵容器の中から一つを容器本体の上下部へ選択的に引き出して使用できるように構成することで、携帯が容易であるだけでなく、ユーザーの利便性を向上させたことが特徴である。【特許請求の範囲】
【請求項１】
第１内容物が貯蔵され、貯蔵された前記第１内容物を排出する、第１排出部を具備する第１貯蔵容器と、
第２内容物が貯蔵され、貯蔵された前記第２内容物を排出する、第２排出部を具備する第２貯蔵容器と、
前記第１貯蔵容器及び前記第２貯蔵容器を収容し、前記第１貯蔵容器及び前記第２貯蔵容器がそれぞれ挿入、引き出されるように上端と下端が開放し形成される容器本体と、
前記第１貯蔵容器及び前記第２貯蔵容器が着脱可能に結合され、前記第１排出部及び前記第２排出部と結合されるように、下部と上部にそれぞれ第１結合部及び第２結合部を具備する仕上げキャップと、
前記仕上げキャップを覆って結合され、ユーザーの昇降操作ができるように、前記容器本体の外部へ露出される移動ボタンを具備し、前記容器本体の長さ方向に沿っ昇降される昇降部材と、を含み、
前記移動ボタンの昇降操作によって前記第１貯蔵容器又は前記第２貯蔵容器が前記容器本体から引き出され、前記第１内容物及び前記第２内容物の中から一つを選択的に使用できるように構成されることを特徴とする異種内容物の貯蔵容器。
【請求項２】
前記仕上げキャップを貫通し、前記第１貯蔵容器及び前記第２貯蔵容器に挿入される支持台及び、前記支持台の両端にそれぞれ結合され、前記第１内容物及び前記第２内容物をそれぞれ吸収する第１塗布チップ及び第２塗布チップで構成される塗布部材をさらに含むことを特徴とする、請求項１に記載の異種内容物の貯蔵容器。
【請求項３】
前記容器本体の前面部には、前記移動ボタンが外部へ露出されて昇降されることができるように、長さ方向に沿って切開部が形成されることを特徴とする、請求項１に記載の異種内容物の貯蔵容器。
【請求項４】
前記容器本体の後面部内側には、前記昇降部材が昇降する距離を制限するようにガイド溝が形成されることを特徴とする、請求項１に記載の異種内容物の貯蔵容器。
【請求項５】
前記仕上げキャップは、中空を形成し、内周面から延長して形成され、前記塗布部材を固定させる固定部をさらに含むことを特徴とする、請求項２に記載の異種内容物の貯蔵容器。
【請求項６】
前記固定部には、前記支持台を固定させる固定突起を具備し、前記支持台の外周面には、前記固定部に固定されるように、前記固定突起と結合される固定溝が形成されることを特徴とする、請求項５に記載の異種内容物の貯蔵容器。
【請求項７】
前記昇降部材には、前記ガイド溝に挿入され、前記移動ボタンの昇降操作の時に、前記ガイド溝に沿って移動するガイド突起が具備されることを特徴とする、請求項４に記載の異種内容物の貯蔵容器。
【請求項８】
前記ガイド溝の中央部には、前記昇降部材の自由落下を防止するように、前記ガイド突起を支持する支持突起が具備されることを特徴とする、請求項７に記載の異種内容物の貯蔵容器。
【請求項９】
前記ガイド溝の両端には、前記昇降部材の上昇または下降が完了した状態で、前記ガイド突起が停止されるように停止溝が形成されることを特徴とする、請求項７に記載の異種内容物の貯蔵容器。
【請求項１０】
前記第１排出部及び前記第２排出部には、前記第１貯蔵容器及び前記第２貯蔵容器から前記第１塗布チップ及び前記第２塗布チップのそれぞれの引き出し時に、前記第１塗布チップ及び前記第２塗布チップに付いている前記第１内容物及び前記第２内容物をそれぞれ掃き下ろす第１ワイパー及び第２ワイパーがそれぞれ結合されることを特徴とする、請求項２に記載の異種内容物の貯蔵容器。
【請求項１１】
前記第１貯蔵容器及び前記第２貯蔵容器は透明に形成され、外部から前記切開部を通って前記第１貯蔵容器及び前記第２貯蔵容器にそれぞれ貯蔵された前記第１内容物及び前記第２内容物の色相を確認できるように構成されることを特徴とする、請求項３に記載の異種内容物の貯蔵容器。
【発明の詳細な説明】
【技術分野】
【０００１】
本発明は、異種内容物の貯蔵容器に関し、より詳細には、一つの容器本体内側に異種の内容物がそれぞれ貯蔵された第１，２貯蔵容器を収容し、昇降部材を上下にスライディング移動することによって、第１，２貯蔵容器の中から一つを容器本体の上下部へ選択的に引き出して使用できるように構成することで、携帯が容易であるだけでなく、ユーザーの利便性を向上させた異種内容物の貯蔵容器に関する。
【背景技術】
【０００２】
一般的に、目、唇などの化粧時には、リップグロス、コンシーラー、ハイライターなどを利用して、化粧を進行するようになり、唇は水分によって潤いを維持されると、美しい唇を維持することができるようになり、しっとりしながら美しい唇を維持するための手段で、リップグロスを塗るようになる。
【０００３】
前記のように使用されるリップグロスは、チューブ形態になったものがあれば、口紅の形態になったものもあって、容器本体に収容された内容物を蓋に付設された穂先の化粧塗布具につけて塗るリップグロスがある。
【０００４】
前記のリップグロスの中で、一番普遍的に使用されるリップグロスは、容器本体に収容された内容物を、蓋に付設された穂先の化粧塗布具につけて使用できるようになったもので、このような「リップグロス容器」が登録実用新案第２０−０４５９８３０号（以下、登録実用新案という）の図１に開示されている。
【０００５】
前記登録実用新案は、リップグロスのような化粧料を貯蔵し、蓋１２０が着脱可能に結合されるように、入口１１２が具備される本体１１０と、前記本体１００の入口１１２に螺子式に結合され、その下端に化粧料をつけて塗るための穂先１２４と穂先１２４の端部に形成されたスポンジのような塗布具１２２を含む蓋１２０で構成されることが特徴である。
【０００６】
前記のような構成を有する従来のリップグロス容器は、本体に螺子式で結合された蓋を本体の入口から分離し、蓋の下端に形成された穂先の塗布具で化粧料をつけた状態で、塗布具を当該の肌、すなわち、唇に塗った後、また本体に穂先を引入させて保管するように構成され、色相が違うリップグロスなど、異種のリップグロスを使用するためには、分離された異種のリップグロス容器をそれぞれ購入しなければならないだけでなく、分離された異種のリップグロス容器をそれぞれ携帯して通わなければならなので、ユーザーに煩わしさをもたらすようになる問題があった。
【発明の概要】
【発明が解決しようとする課題】
【０００７】
本発明は、上述した問題点を解決するために、考案されたもので、本発明の目的は、一つの容器本体内側に、異種内容物がそれぞれ貯蔵された第１貯蔵容器及び第２貯蔵容器を収容し、昇降部材を上下にスライディング移動することによって、第１貯蔵容器及び第２貯蔵容器の中から一つを容器本体の上下部へ選択的に引き出して使用できるように構成することで、携帯が容易であるだけでなく、ユーザーの利便性を向上させた異種内容物の貯蔵容器を提供することである。
【課題を解決するための手段】
【０００８】
前記のような問題点を解決するために、本発明に係る異種内容物の貯蔵容器は、第１内容物が貯蔵され、貯蔵された前記第１内容物を排出する、第１排出部に具備される第１貯蔵容器と、
第２内容物が貯蔵され、貯蔵された前記第２内容物を排出する、第２排出部に具備される第２貯蔵容器と、
前記第１貯蔵容器及び前記第２貯蔵容器を収容し、前記第１貯蔵容器及び前記第２貯蔵容器がそれぞれ挿入、引き出されるように上端と下端が開放し形成される容器本体と、
前記第１貯蔵容器と前記第２貯蔵容器が着脱可能に結合され、前記第１排出部及び前記第２排出部と結合されるよう下部と上部にそれぞれ第１結合部及び第２結合部に具備される仕上げキャップと、そして、
前記仕上げキャップを覆って結合され、ユーザーの昇降操作が可能なように前記容器本体の外部へ露出される移動ボタンを具備し、前記容器本体の長さ方向に沿って昇降される昇降部材、を含み、
前記移動ボタンの昇降操作によって、前記第１貯蔵容器又は前記第２貯蔵容器が容器本体から引き出され、前記第１内容物及び前記第２内容物の中から一つを選択的に使用可能なように構成されることを特徴とする。
【０００９】
また、前記仕上げキャップを貫通して、前記第１貯蔵容器及び前記第２貯蔵容器に挿入される支持台及び、前記支持台の両端にそれぞれ結合され、前記第１内容物及び前記第２内容物をそれぞれ吸収する第１塗布チップ及び第２塗布チップに構成される塗布部材をさらに含むことを特徴とする。
【００１０】
また、前記容器本体の前面部には、前記移動ボタンが外部へ露出され、昇降されることができるように、長さ方向に沿って切開部が形成されることを特徴とする。
【００１１】
また、前記容器本体の後面部内側には、前記昇降部材が昇降される距離を制限するようにガイド溝が形成されることを特徴とする。
【００１２】
また、前記仕上げキャップは、中空を形成し、内周面から延長して形成され、前記塗布部材を固定させる固定部をさらに含むことを特徴とする。
【００１３】
また、前記固定部には、前記支持台を固定させる固定突起を具備し、前記支持台の外周面には、前記固定部に固定されるように前記固定突起と結合される固定溝が形成されることを特徴とする。
【００１４】
また、前記昇降部材には、前記ガイド溝に挿入され、前記移動ボタンの昇降操作の時に、前記ガイド溝に沿って移動するガイド突起が具備されることを特徴とする。
【００１５】
また、前記ガイド溝の中央部には、前記昇降部材の自由落下を防止するように前記ガイド突起を支持する支持突起が具備されることを特徴とする。
【００１６】
また、前記ガイド溝の両端には、前記昇降部材の上昇または下降が完了した状態で、前記ガイド突起が停止される停止溝が形成されることを特徴とする。
【００１７】
また、前記第１排出部及び前記第２排出部には、前記第１貯蔵容器及び前記第２貯蔵容器から前記第１塗布チップ及び前記第２塗布チップのそれぞれの引き出し時に、前記第１塗布チップ及び前記第２塗布チップに付いている前記第１内容物及び前記第２内容物をそれぞれ掃き下ろす第１ワイパー及び第２ワイパーがそれぞれ結合されることを特徴とする。
【００１８】
また、前記第１貯蔵容器及び前記第２貯蔵容器は透明に形成され、外部から前記切開部を通って前記第１貯蔵容器及び前記第２貯蔵容器にそれぞれ貯蔵された前記第１内容物及び前記第２内容物の色相を確認できるように構成されることを特徴とする。
【発明の効果】
【００１９】
以上のように、本発明によれば、一つの容器本体内側に異種の内容物がそれぞれ貯蔵された第１貯蔵容器及び第２貯蔵容器を収容し、昇降部材を上下にスライディング移動することによって、第１貯蔵容器及び第２貯蔵容器の中から一つを容器本体の上下部へ選択的に引き出して使用できるように構成することで、携帯が容易であるだけでなく、ユーザーの利便性を向上させた長所がある。
【００２０】
また、第１貯蔵容器及び第２貯蔵容器を透明に形成し、容器本体に長さ方向に第１貯蔵容器及び第２貯蔵容器が外部へ露出するように切開部を形成することにより、第１貯蔵容器及び第２貯蔵容器に貯蔵された内容物の色相を容易く確認することができるという長所がある。
【図面の簡単な説明】
【００２１】
【図１】本発明の好ましい実施例に係る異種内容物の貯蔵容器の構成を示す分解斜視図である。
【図２】本発明の好ましい実施例に係る異種内容物の貯蔵容器の構成を示す組立斜視図である。
【図３】本発明の好ましい実施例に係る異種内容物の貯蔵容器の構成を示す組立断面図である。
【図４】本発明の好ましい実施例に係る異種内容物の貯蔵容器の使用状態図である。
【図５】本発明の好ましい実施例に係る異種内容物の貯蔵容器の使用状態図である。
【図６】本発明の好ましい実施例に係る異種内容物の貯蔵容器の使用状態図である。
【発明を実施するための形態】
【００２２】
以下、図面を参照して、本発明を詳細に説明する。各図面に提示された同一の参照符号は同一の部材を示す。
【００２３】
図１は、本発明の好ましい実施例に係る異種内容物の貯蔵容器の構成を示す分解斜視図であり、図２は、本発明の好ましい実施例に係る異種内容物の貯蔵容器の構成を示す組立斜視図であり、図３は、本発明の好ましい実施例に係る異種内容物の貯蔵容器の構成を示す組立断面図である。
【００２４】
図１〜３を参照すると、本発明の好ましい実施例に係る異種内容物の貯蔵容器は、第１貯蔵容器１００、第２貯蔵容器２００、容器本体３００、仕上げキャップ４００、昇降部材５００を含む。
【００２５】
第１貯蔵容器１００は、液状の第１内容物を貯蔵するもので、その上部には、第１内容物を排出することができるように、第１排出部１１０を具備し、第１排出部１１０の外周面には、後述する仕上げキャップ４００の第１結合部４１０との螺子結合できるように螺子山が形成される。
【００２６】
また、第１排出部１１０には、第１貯蔵容器１００に挿入された第１塗布チップ６２０の引き出し時、第１塗布チップ６２０についている第１内容物を掃き下ろし、第１貯蔵容器１００に回収する第１ワイパー７００が結合されることが好ましい。
【００２７】
一方、第１貯蔵容器１００は、外部からの容器本体３００の切開部３１０を通って第１貯蔵容器１００に貯蔵された第１内容物の色相を確認できるように透明に構成されることが好ましい。
【００２８】
第２貯蔵容器２００は、液状の第２内容物を貯蔵するもので、その上部には第２内容物を排出することができるように、第２排出部２１０を具備し、第２排出部２１０の外周面には、後述する仕上げキャップ４００の第２結合部４２０との螺子結合できるように螺子山が形成される。
【００２９】
また、第２排出部２１０には、第２貯蔵容器２００に挿入された第２塗布チップ６３０の引き出し時に、第２塗布チップ６３０についている第２内容物を掃き下ろし、第２貯蔵容器２００に回収する第２ワイパー８００が結合されることが好ましい。
【００３０】
一方、第２貯蔵容器２００は、外部から容器本体３００の切開部３１０を通って、第２貯蔵容器２００に貯蔵された第２内容物の色を確認できるように透明に構成されることが好ましい。
【００３１】
容器本体３００は、第１貯蔵容器１００及び第２貯蔵容器２００を収容し、その上端と下端を介して第１貯蔵容器１００及び第２貯蔵容器２００が挿入、引き出されることができるように上端と下端が開放し形成される円筒状で構成されるもので、本発明において、容器本体３００の前面部には、後述する移動ボタン５１０が外部へ露出され、昇降することができるように長さ方向に沿って、切開部３１０が形成されることが特徴である。
【００３２】
切開部３１０は、移動ボタン５１０を昇降する空間を形成するだけでなく、第１貯蔵容器１００及び第２貯蔵容器２００に貯蔵された第１，２内容物の色相を外部から確認することができる。
【００３３】
一方、容器本体３００の後面部内側には、昇降部材５００が昇降距離を制限するように昇降部材５００のガイド突起５２０が挿入されるガイド溝３２０を形成することが特徴で、ガイド溝３２０は、容器本体３００の後面部内側の長さ方向に沿って形成され、ガイド溝３２０の中央部には、昇降部材５００の自由落下を防止するようにガイド突起５２０を支持する支持突起３２１を具備し、両端には昇降部材５００の上昇または下降が完了した状態で、ガイド突起５２０を停止するように停止溝３２２が形成される。
【００３４】
仕上げキャップ４００は、第１，２貯蔵容器１００，２００の第１，２排出部１１０，２１０を覆って結合されるもので、本発明において、仕上げキャップ４００は、第１，２排出部１１０，２１０と結合されるように下部と上部にそれぞれ第１結合部４１０及び第２結合部４２０が具備されることが特徴である。
【００３５】
第１結合部４１０及び第２結合部４２０は、仕上げキャップ４００の下部と上部にそれぞれ具備されることにより、容器本体３００の内側で第１貯蔵容器１００は直立状態で、第２貯蔵容器２００は、逆に引っ繰り返った状態で設置されることができる。
【００３６】
また、第１結合部４１０及び第２結合部４２０の内周面には、第１，２貯蔵容器１００，２００が脱着できるように、第１，２排出部１１０，２１０と螺子結合される螺子山が形成される。
【００３７】
一方、仕上げキャップ４００には、後述する塗布部材６００を固定する固定部４３０を具備することが特徴として、固定部４３０は、塗布部材６００の支持台６１０を貫通するように中空を形成し、仕上げキャップ４００の内周面から延長し形成され、貫通設置される塗布部材６００の支持台６１０を固定させることができるように支持台６１０の固定溝６１１と結合される固定突起４３２が具備される。
【００３８】
昇降部材５００は、仕上げキャップ４００を覆って結合され、容器本体３００の長さ方向に沿って仕上げキャップ４００と一緒に昇降されるもので、移動ボタン５１０、ガイド突起５２０を含む。
【００３９】
移動ボタン５１０は、ユーザーの昇降操作ができるように、昇降部材５００の前面部から突出し形成され、容器本体３００の切開部３１０を通って外部へ露出されるもので、ユーザーの昇降操作によって第１貯蔵容器１００または第２貯蔵容器２００を容器本体３００から引き出すことにより、第１，２貯蔵容器１００，２００に貯蔵された第１，２内容物の中から一つを選択的に使用することができる。
【００４０】
ガイド突起５２０は、昇降部材５００の後面部から突出し形成され、ガイド溝３２０に挿入されるもので、移動ボタン５１０の昇降操作の時、ガイド溝３２０に沿って移動するように構成され、ガイド突起５２０は、普段はガイド溝３２０の中央部に位置するガイド突起５２０によって支持され、ユーザーが操作していない状態で、昇降部材５００の自由落下を防止し、昇降部材５００の上昇または下降が完了した状態では、停止溝３２２に停止され、第１，２塗布チップ６２０，６３０を介して肌に第１，２内容物を塗布する時、その圧力によって昇降部材５００が移動することを防止する。
【００４１】
塗布部材６００は、第１貯蔵容器１００及び第２貯蔵容器２００に挿入され、第１，２内容物を肌に塗布するもので、仕上げキャップ４００の固定部４３０に形成される中空を貫通し、第１貯蔵容器１００及び第２貯蔵容器２００に挿入される支持台６１０及び支持台６１０の両端にそれぞれ結合され、第１，２内容物を吸収する第１，２塗布チップ６２０，６３０で構成され、支持台６１０の外周面には、固定部４３０に固定されるように固定突起４３１と結合される固定溝６１１が形成される。
【００４２】
塗布部材６００は、固定部４３０に固定されることにより、仕上げキャップ４００から第１貯蔵容器１００を脱離時には、第１貯蔵容器１００から第１塗布チップ６２０を引き出し、第１内容物の使用を可能にし、仕上げキャップ４００から第２貯蔵容器２００を脱離時には、第２貯蔵容器１００から第２塗布チップ６２０を引き出し、第２内容物の使用を可能とする。
【００４３】
以下では、図４〜６を参照して、本発明の好ましい実施例に係る異種内容物の貯蔵容器の使用方法を説明する。
【００４４】
図４〜６を参照すると、まず、普段ガイド突起５２０がガイド溝３２０の支持突起３２１に停止されている状態で、移動ボタン５１０を把持して下方向へ移動させると、昇降部材５００のガイド突起５２０がガイド溝３２０に沿って移動し、昇降部材５００が下降する。これにより、昇降部材５００の内側に結合された仕上げキャップ４００及び仕上げキャップ４００の上下部へ結合されている第１，２貯蔵容器１００，２００が一緒に下降し、容器本体３００の下部へ第１貯蔵容器１００の引き出しが行われる。
【００４５】
前記のように、容器本体３００の下部に第１貯蔵容器１００の引き出しが行われると、第１貯蔵容器１００を回転させ、第１貯蔵容器１００と仕上げキャップ４００の第１結合部４１０との螺子結合を解除した後、容器本体３００を把持した状態で、第１塗布チップ６２０を第１貯蔵容器１００から引き出し、唇の化粧ができる。
【００４６】
前記のように、第１塗布チップ６２０を介して唇の化粧を進行する時に、ガイド突起５２０は停止溝３２２に停止され、第１塗布チップ６２０の唇の接触による圧力によって昇降部材５００が移動することを防止する。
【００４７】
一方、第２貯蔵容器２００に貯蔵された第２内容物を使用するためには、容器本体３００を逆に覆して、第２貯蔵容器２００が直立状態で位置するようにした後、述べた同一の過程を介して第２内容物の使用ができる。
【００４８】
すなわち、本発明は、移動ボタン５１０の昇降操作によって、第１貯蔵容器１００または第２貯蔵容器２００が容器本体３００から引き出されるように構成することにより、ユーザーの必要によって、第１内容物または第２内容物を選択的に使用することができる。
【００４９】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形及び均等な他の実施例が可能であることを理解すべきである。また、本発明の真の技術的保護範囲は、添付された特許請求の範囲の技術的思想によって定められる。
【図１】
2017535317.tif 000002
【図２】
2017535317.tif 000003
【図３】
2017535317.tif 000004
【図４】
2017535317.tif 000005
【図５】
2017535317.tif 000006
【図６】
2017535317.tif 000007
【国際調査報告】
2017535317.tif 000008
2017535317.tif 000009
2017535317.tif 000010
2017535317.tif 000011